(57)【要約】【課題】１箇所のビス止めで確実に庫内ダクトに冷却器やファンダクトを固定することができ、組立て及びメンテナンスが容易な自動販売機の冷却装置をする。【解決手段】冷却器７の引っ掛け棒７ｄを庫内ダクト６の排気口６ｂの左右周縁に設けられた切込み部６ｄに係止させることで冷却器７のフィン７ａが庫内ダクト６の排気口６ｂの左右周縁に当接し冷却器７がファンダクト８に固定され、ファンダクト８は、後端が冷却器７のフィン７ａの前面に当接する一対の側面板８ｃにより冷却器７との前後方向の規制ができると共に、天板８ｂの突起部８ｅが排気口６ｂの上周縁に設けられた切欠き部６ｅに挿入することで冷却器７の上方に当接し覆うと共に左右方向の規制にて固定される。これにより１箇所のビス止めで確実に庫内ダクト６に冷却器７やファンダクト８を固定することができるという作用を有する。【選択図】図１
2005092395.tif 000002
【特許請求の範囲】
【請求項１】
上下方向に長く上部に吸気口、下部前面に排気口を有し商品収納室の奥壁に設けられる庫内ダクトと、前記排気口の前方に前記排気口と対向して前記商品収納室の底壁に配置される冷却器と、前記冷却器は多数平行に並べられたフィンと、前記フィンに直角に挿通された引っ掛け棒と、前記フィンに直角に挿通された複数の略ヘアピン形状の冷媒管と、蛇行状の冷媒通路が形成されるように片端が開口している複数の前記冷媒管に連結されるＵ字状の連結管とからなり、前記排気口の左右周縁に設けられ前記冷却器の前記引っ掛け棒を係止し上方に開口している切込み部を設けた前後位置決め部と、前記冷却器で冷却された冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する切欠き部とを設け、前記ファンダクトの前記底板に、前記ファンダクトを前記商品収納室の底壁にビス止めするための取付け孔を設けたことを特徴とする自動販売機の冷却装置。
【請求項２】
上下方向に長く上部に吸気口、下部前面に排気口を有し商品収納室の奥壁に設けられる庫内ダクトと、前記排気口の前方に前記排気口と対向して前記商品収納室の底壁に配置される冷却器と、前記冷却器は多数平行に並べられたフィンと、前記フィンに直角に挿通された引っ掛け棒と、前記フィンに直角に挿通された複数の略ヘアピン形状の冷媒管と、蛇行状の冷媒通路が形成されるように片端が開口している複数の前記冷媒管に連結されるＵ字状の連結管とからなり、前記排気口の左右周縁に設けられ前記冷却器の前記引っ掛け棒を係止し上方に開口している切込み部を設けた前後位置決め部と、前記冷却器で冷却された冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する角穴とを設け、前記ファンダクトの前記底板に、前記ファンダクトを前記商品収納室の底壁にビス止めするための取付け孔を設けたことを特徴とする自動販売機の冷却装置。
【請求項３】
前記庫内ダクトの前記排気口の上周縁に設けられた後方規制部と、前記ファンダクトの前記天板の後部に前記庫内ダクトに当接する後方当接部とを設けたことを特徴とする請求項１に記載の自動販売機の冷却装置。
【請求項４】
前記冷却器の前記フィンの両側面を挟み込む一対の左右規制部を前記ファンダクトの前記側面板に設けたことを特徴とする請求項１に記載の自動販売機の冷却装置。
【請求項５】
前記冷却器の前記フィンの両側面を挟み込む一対の左右規制部を前記排気口の前記切込み部の下方に設けたことを特徴とする請求項１に記載の自動販売機の冷却装置。
【請求項６】
上下方向に長く上部に吸気口、下部前面に排気口を有し商品収納室の奥壁に設けられる庫内ダクトと、
前記排気口の前方に前記排気口と対向して前記商品収納室の底壁に配置される冷却器と、前記冷却器は多数平行に並べられたフィンと、前記フィンの前後に直角に挿通された複数の引っ掛け棒と、前記フィンに直角に挿通された複数の略ヘアピン形状の冷媒管と、蛇行状の冷媒通路が形成されるように片端が開口している複数の前記冷媒管に連結されるＵ字状の連結管とからなり、前記排気口の左右周縁に設けられ前記冷却器の前記引っ掛け棒を係止し上方に開口している切込み部を設けた前後位置決め部と、前記冷却器で冷却された
冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記側面板に設けられ前記冷却器の前記引っ掛け棒を係止し下方に開口している切込み部を設けた前後位置決め部と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する切欠き部とを設け、前記ファンダクトの前記底板に、前記ファンダクトを前記商品収納室の底壁にビス止めするための取付け孔を設けたことを特徴とする自動販売機の冷却装置。
【発明の詳細な説明】
【技術分野】
【０００１】
本発明は商品収納室を冷却して商品を販売するようにした自動販売機の冷却装置に関するものである。
【背景技術】
【０００２】
近年、自動販売機の冷却装置は、商品を冷却すべく商品収納庫内を循環する循環エアーの経路の一部に庫内ダクトや冷却器を配設した冷却装置になってきている。
【０００３】
従来の、自動販売機の冷却装置としては、特許文献１に開示されているものがある。
【０００４】
以下、図面を参照しながら上記従来の自動販売機の冷却装置を説明する。
【０００５】
図１３は従来の自動販売機の縦断面図であり、図１４は、従来の自動販売機の斜視図である。
【０００６】
図１３、図１４において、前面を開口した箱状の自動販売機の本体１と、庫内に設けられた商品収納室２と、本体１の前面開口部を開閉する前面扉３と、前面扉３の内側に開閉自在に設けられる商品収納室２の内側扉４と、商品収納室２の内部に位置している商品を収納する商品収納棚５と、上下方向に長く上部に吸気口１７ａと下部前面に排気口１７ｂを有し商品収納室２の奥壁に設けられる庫内ダクト１７と、左右両端に一対の側板１８ａを有し排気口１７ｂの前方に排気口１７ｂと対向して商品収納室２の底壁に配置される冷却器１８と、冷却器１８の一対の側板１８ａの後部に、庫内ダクト１７の排気口１７ｂの外周部前面に当接する後方向規制部１８ｂと、冷却器１８で冷却された冷気を送風するための送風ファン９を設けた前面板１９ａと、冷却器１８の上方を覆うと共に冷却器１８の上面と当接する天板１９ｂと、後端が冷却器１８の一対の側板１８ａの前面に当接する一対の側面板１９ｃとからなるファンダクト１９と、冷却器１８の一対の側板１８ａの後部に庫内ダクト１７の排気口１７ｂの上周縁と当接するファンダクト１９の背面折り曲げ部１９ｄとから構成されており、冷却器１８は、後方規制部１８ｂで、ファンダクト１９は、背面折り曲げ部１９ｄで、庫内ダクト１７にビスにて取付けられている。
【特許文献１】特開平９−１４７２１１号公報
【発明の開示】
【発明が解決しようとする課題】
【０００７】
しかしながら、上記従来の構成では、庫内ダクト１７に冷却器１８とファンダクト１９を固定する際、ビスをそれぞれ少なくとも２個必要になり組立て作業が面倒であり組立て性更にはメンテナンスの点でも不利なものになっているといった課題を有していた。
【０００８】
本発明は従来の課題を解決するもので、１箇所のビス止めで確実に庫内ダクトに冷却器やファンダクトを固定することができ、組立て及びメンテナンスが容易な自動販売機の冷却装置を提供することを目的とする。
【課題を解決するための手段】
【０００９】
本発明の請求項１に記載の発明は、上下方向に長く上部に吸気口、下部前面に排気口を有し商品収納室の奥壁に設けられる庫内ダクトと、前記排気口の前方に前記排気口と対向して前記商品収納室の底壁に配置される冷却器と、前記冷却器は多数平行に並べられたフィンと、前記フィンに直角に挿通された引っ掛け棒と、前記フィンに直角に挿通された複数の略ヘアピン形状の冷媒管と、蛇行状の冷媒通路が形成されるように片端が開口してい
る複数の前記冷媒管に連結されるＵ字状の連結管とからなり、前記排気口の左右周縁に設けられ前記冷却器の前記引っ掛け棒を係止し上方に開口している切込み部を設けた前後位置決め部と、前記冷却器で冷却された冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する切欠き部とを設け、前記ファンダクトの前記底板に、前記ファンダクトを前記商品収納室の底壁にビス止めするための取付け孔を設け、前記冷却器は、前記冷却器の前記引っ掛け棒を前記庫内ダクトの前記排気口の左右周縁に設けられた前記切込み部に係止させることで前記冷却器の前記フィンが前記庫内ダクトの前記排気口の左右周縁に当接し固定され、前記ファンダクトは、後端が前記冷却器の前記フィンの前面に当接する一対の側面板により前後方向の規制ができると共に、前記天板の前記突起部が前記排気口の上周縁に設けられた切欠き部に挿入することで前記冷却器の上方に当接し覆うと共に左右方向の規制ができる。
【００１０】
また、ファンダクトは、前記底板の取付け孔をビス止めすることにより固定される。これにより１箇所のビス止めで確実に庫内ダクトに冷却器やファンダクトを固定することができるという作用を有する。
【００１１】
請求項２に記載の発明は、上下方向に長く上部に吸気口、下部前面に排気口を有し商品収納室の奥壁に設けられる庫内ダクトと、前記排気口の前方に前記排気口と対向して前記商品収納室の底壁に配置される冷却器と、前記冷却器は多数平行に並べられたフィンと、前記フィンに直角に挿通された引っ掛け棒と、前記フィンに直角に挿通された複数の略ヘアピン形状の冷媒管と、蛇行状の冷媒通路が形成されるように片端が開口している複数の前記冷媒管に連結されるＵ字状の連結管とからなり、前記排気口の左右周縁に設けられ前記冷却器の前記引っ掛け棒を係止し上方に開口している切込み部を設けた前後位置決め部と、前記冷却器で冷却された冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する角穴とを設け、前記ファンダクトの前記底板に、前記ファンダクトを前記商品収納室の底壁にビス止めするための取付け孔を設け、前記冷却器は、前記冷却器の前記引っ掛け棒を前記庫内ダクトの前記排気口の左右周縁に設けられた前記切込み部に係止させることで前記冷却器の前記フィンが前記庫内ダクトの前記排気口の左右周縁に当接し固定され、前記ファンダクトは、後端が前記冷却器の前記フィンの前面に当接する一対の側面板により前後方向の規制ができると共に、前記天板の前記突起部が前記排気口の上周縁に設けられた前記角穴に挿入することで前記冷却器の上方に当接し覆うと共に左右方向の規制ができる。
【００１２】
また、ファンダクトは、前記底板の取付け孔をビス止めすることにより固定される。これにより１箇所のビス止めで確実に庫内ダクトに冷却器やファンダクトを固定することができると共に前記天板は前記角穴により前記冷却器の前記フィン上方への規制ができ前記フィンの変形を防止することができるという作用を有する。
【００１３】
請求項３に記載の発明は、請求項１に記載の発明に加えて、前記庫内ダクトの前記排気口の上周縁に設けられた後方規制部と、前記ファンダクトの前記天板の後部に前記庫内ダクトに当接する後方当接部とを設けたものであり、前記庫内ダクトの前記後方規制部により前記排気口の上周縁の後方への変形規制ができると共に前記天板の前記後方当接部によ
り前記庫内ダクトとの密着性が向上し前記冷却器を通過する冷気の経路が確保でき冷却性能への悪影響を防止することができるという作用を有する。
【００１４】
請求項４に記載の発明は、請求項１に記載の発明に加えて、前記冷却器の前記フィンの両側面を挟み込む一対の左右規制部を前記ファンダクトの前記側面板に設けたものであり、前記一対の左右規制部により前記冷却器と前記ファンダクトの左右周縁の密着性が向上し前記冷却器を通過する冷気の経路が確保でき冷却性能への悪影響を防止することができ、また前記冷却器と前記ファンダクトの左右方向での組立て性が向上することができるという作用を有する。
【００１５】
請求項５に記載の発明は、請求項１に記載の発明に加えて、前記冷却器の前記フィンの両側面を挟み込む一対の左右規制部を前記排気口の前記切込み部の下方に設けたものであり、前記一対の左右規制部により前記冷却器と前記庫内ダクトの左右周縁の密着性が向上し前記冷却器を通過する冷気の経路が確保でき冷却性能への悪影響を防止することができ、また前記冷却器と前記庫内ファンダクトの左右方向での組立て性が向上することができるという作用を有する。
【００１６】
請求項６に記載の発明は、上下方向に長く上部に吸気口、下部前面に排気口を有し商品収納室の奥壁に設けられる庫内ダクトと、前記排気口の前方に前記排気口と対向して前記商品収納室の底壁に配置される冷却器と、前記冷却器は多数平行に並べられたフィンと、前記フィンの前後に直角に挿通された複数の引っ掛け棒と、前記フィンに直角に挿通された複数の略ヘアピン形状の冷媒管と、蛇行状の冷媒通路が形成されるように片端が開口している複数の前記冷媒管に連結されるＵ字状の連結管とからなり、  前記排気口の左右周縁に設けられ前記冷却器の前記引っ掛け棒を係止し上方に開口している切込み部を設けた前後位置決め部と、前記冷却器で冷却された冷気を送風するための送風ファンを設けた前面板と、前記冷却器の上方を覆うと共に前記冷却器の上面と前記庫内ダクトに当接する天板と、後端が前記冷却器の前記フィンの前面に当接する一対の側面板と、前記側面板に設けられ前記冷却器の前記引っ掛け棒を係止し下方に開口している切込み部を設けた前後位置決め部と、前記商品収納室の底壁に当接する底板とを有するファンダクトとからなり、前記ファンダクトの前記天板の後部に、前記庫内ダクトの前記排気口の上周縁と当接する突起部と、前記排気口の上周縁に設けられた前記突起部が挿入する切欠き部とを設け、前記ファンダクトの前記底板に、前記ファンダクトを前記商品収納室の底壁にビス止めするための取付け孔を設け、前記冷却器は、前記冷却器の前記引っ掛け棒を前記庫内ダクトの前記排気口の左右周縁に設けられた前記切込み部に係止させることで前記冷却器の前記フィンが前記庫内ダクトの前記排気口の左右周縁に当接し固定され、前記ファンダクトは、前記切込み部を設けた前後位置決め部を前記冷却器の前記引っ掛け棒に引っ掛けて係止すると共に後端が前記冷却器の前記フィンの前面に当接する一対の側面板により前後方向の規制ができ、前記冷却器は、複数の前記引っ掛け棒により前記庫内ダクトと前記ファンダクトに固定ができ自動販売機の輸送時に発生する振動による組み込み位置のズレによる不具合を防止することができる。
【００１７】
また前記天板の前記突起部が前記排気口の上周縁に設けられた切欠き部に挿入することで前記冷却器の上方に当接し覆うことができる。
【００１８】
また、ファンダクトは、前記底板の取付け孔をビス止めすることにより固定される。これにより１箇所のビス止めで確実に庫内ダクトに冷却器やファンダクトを固定することができるという作用を有する。
【発明の効果】
【００１９】
以上説明したように請求項１に記載の発明は、冷却器の引っ掛け棒を庫内ダクトの排気
口の左右周縁に設けられた切込み部に係止させることで冷却器のフィンが庫内ダクトの排気口の左右周縁に当接し冷却器がファンダクトに固定され、ファンダクトは、後端が冷却器のフィンの前面に当接する一対の側面板により冷却器との前後方向の規制ができると共に、天板の突起部が排気口の上周縁に設けられた切欠き部に挿入することで冷却器の上方に当接し覆うと共に左右方向の規制ができる。
【００２０】
また、ファンダクトは、底板の取付け孔をビス止めすることにより商品収納室の底壁の任意の位置に固定される。これにより１箇所のビス止めで確実に庫内ダクトに冷却器やファンダクトを固定することができる。
【００２１】
また、冷却器は、一対の側板を廃止し冷却器の固定を冷却器の引っ掛け棒を使用して行うので組立て時発生する庫内ダクトやファンダクトとの当接部の過度の圧力が冷却器の冷媒管に直接影響しない構造であるため冷却器の品質向上が確保できる。
【００２２】
また、請求項２に記載の発明は、冷却器の引っ掛け棒を庫内ダクトの排気口の左右周縁に設けられた切込み部に係止させることで冷却器のフィンが庫内ダクトの排気口の左右周縁に当接し冷却器がファンダクトに固定され、ファンダクトは、後端が冷却器のフィンの前面に当接する一対の側面板により前後方向の規制ができると共に、天板の突起部が排気口の上周縁に設けられた角穴に挿入することで冷却器の上方に当接し覆うと共に左右方向の規制ができる。
【００２３】
また、ファンダクトは、底板の取付け孔をビス止めすることにより商品収納室の底壁の任意の位置に固定される。これにより１箇所のビス止めで確実に庫内ダクトに冷却器７やファンダクトを固定することができると共に天板は角穴により冷却器のフィン上方への規制ができフィンの変形を防止することができる。
【００２４】
また、請求項３に記載の発明は、請求項１に記載の発明に加えて、庫内ダクトの後方規制部により排気口の上周縁の後方への変形規制ができると共に天板の後方当接部により庫内ダクトとの密着性が向上し、組立てバラツキによって隙間の発生する確立を低下させ冷却器を通過する冷気の経路が確保でき冷却性能への悪影響を防止することができる。
【００２５】
また、庫内ダクトの排気口の上周縁と天板の後方当接部が密着した状態になるため組立て後の組立て確認が容易にでき安定した組立て性を得ることができる。
【００２６】
また、請求項４に記載の発明は、請求項１に記載の発明に加えて、冷却器のフィンの両側面を挟み込む一対の左右規制部をファンダクトの側面板に設けたものであり、一対の左右規制部により冷却器とファンダクトの左右周縁の隙間がフィンの変形やファンダクトの加工上の変形に対して余裕度を持つことができ密着性が向上し冷却器を通過する冷気の経路が確保でき冷却性能への悪影響を防止することができる。
【００２７】
また冷却器とファンダクトの左右方向での位置決めが容易になり庫内ダクトにファンダクトの天板の突起部を挿入する作業時左右方向の位置修正を行い冷却器のフィンを変形させる行為が少なくなり組立て時の品質安定性を向上させることができる。
【００２８】
また、請求項５に記載の発明は、請求項１に記載の発明に冷却器のフィンａの両側面を挟み込む一対の左右規制部を庫内ダクトの前後位置決め部の下方に設けたものであり、一対の左右規制部により冷却器と庫内ダクトの左右周縁の隙間がフィンの変形や庫内ダクトの加工上の変形に対して余裕度を持つことができ密着性が向上し冷却器を通過する冷気の経路が確保でき冷却性能への悪影響を防止することができる。
【００２９】
また冷却器の庫内ダクトへの取付け時、冷却器の左右の位置決めが容易になり組立て時の作業効率が向上することができる。
【００３０】
また冷却器の庫内ダクトへの取付けが左右方向で規制されるので庫内ダクトの排気口の左右方向の寸法を広げることができるので冷却器を通過する冷気の経路を拡大し冷却性能を向上させることができる。
【００３１】
また、請求項６に記載の発明は、冷却器の引っ掛け棒を庫内ダクトの排気口の左右周縁に設けられた切込み部に係止させることで冷却器のフィンが庫内ダクトの排気口の左右周縁に当接し固定され、ファンダクトは、切込み部を設けた前後位置決め部を冷却器の引っ掛け棒に引っ掛けて係止すると共に後端が冷却器のフィンの前面に当接する一対の側面板により前後方向の規制ができ、冷却器は、複数の引っ掛け棒により庫内ダクトとファンダクトに固定ができ自動販売機の輸送時に発生する振動による組み込み位置のズレによる不具合を防止することができる。
【００３２】
また天板の突起部が排気口の上周縁に設けられた切欠き部に挿入することで冷却器の上方に当接し覆うことができる。
【００３３】
また、ファンダクトは、底板の取付け孔をビス止めすることにより固定される。これにより１箇所のビス止めで確実に庫内ダクトに冷却器やファンダクト固定することができる。
【００３４】
また組立てバラツキにより商品収納室の奥壁と底壁の位置関係の角度が変化しても冷却器の複数の引っ掛け棒に庫内ダクトとファンダクトを係止させるため風路を形成する各接続部の隙間を最小限にさせることができ冷却性能への悪影響を防止することができる。
【発明を実施するための最良の形態】
【００３５】
以下、本発明による自動販売機の冷却装置の実施形態について、図面を参照しながら説明する。なお、従来と同一構成については同一符号を付して詳細な説明を省略する。
【００３６】
（実施の形態１）
図１は、本発明の実施の形態１による自動販売機の冷却装置の分解斜視図である。図２は、同実施の形態の自動販売機の冷却装置の斜視図である。
【００３７】
図１、図２に示すように、庫内ダクト６は、上下方向に長く上部に吸気口６ａ、下部前面に排気口６ｂを有し商品収納室２の奥壁に設けられる。冷却器７は、排気口６ｂの前方に排気口６ｂと対向して商品収納室２の底壁に配置され、多数平行に並べられたフィン７ａと、フィン７ａに直角に挿通された引っ掛け棒７ｄと、フィン７ａに直角に挿通された複数の略ヘアピン形状の冷媒管７ｂと、蛇行状の冷媒通路が形成されるように片端が開口している複数の冷媒管に連結されるＵ字状の連結管７ｃとからなる。前後位置決め部６ｃは、排気口６ｂの左右周縁に設けられ冷却器７の引っ掛け棒７ｄを係止し上方に開口している切込み部６ｄを有している。ファンダクト８は、冷却器７で冷却された冷気を送風するための送風ファン９を設けた前面板８ａと、冷却器７の上方を覆うと共に冷却器７の上面と庫内ダクト６に当接する天板８ｂと、後端が冷却器７のフィン７ａの前面に当接する一対の側面板８ｃと、商品収納室２の底壁に当接する底板８ｄとを有している。またファンダクト８は天板８ｂの後部に、庫内ダクト６の排気口６ｂの上周縁と当接する突起部８ｅを有しており、排気口６ｂの上周縁に設けられた切欠き部６ｅに挿入できる位置にある。商品収納室２の底壁にビス止めするための取付け孔８ｆはファンダクト８の底板８ｄに設けられている。
【００３８】
以上のように構成された自動販売機の冷却装置について、以下その動作を説明する。
【００３９】
まず、商品収納室２には、矢印のように商品収納室２内部を循環する空気の流れがあり、冷却器７で冷却された空気をファン９にて送風されて商品収納棚５の内部に収納されている商品を冷却する。
【００４０】
以上のように本実施の形態の自動販売機の冷却装置は、冷却器７の引っ掛け棒７ｄを庫内ダクト６の排気口６ｂの左右周縁に設けられた切込み部６ｄに係止させることで冷却器７のフィン７ａが庫内ダクト６の排気口６ｂの左右周縁に当接し冷却器７がファンダクト８に固定され、ファンダクト８は、後端が冷却器７のフィン７ａの前面に当接する一対の側面板８ｃにより冷却器７との前後方向の規制ができると共に、天板８ｂの突起部８ｅが排気口６ｂの上周縁に設けられた切欠き部６ｅに挿入することで冷却器７の上方に当接し覆うと共に左右方向の規制ができる。
【００４１】
また、ファンダクト８は、底板８ｄの取付け孔８ｆをビス止めすることにより商品収納室２の底壁の任意の位置に固定される。これにより１箇所のビス止めで確実に庫内ダクト６に冷却器７やファンダクト８を固定することができるという作用を有する。
【００４２】
（実施の形態２）
図３は、本発明の実施の形態２による自動販売機の冷却装置の分解斜視図である。図４は、同実施の形態の自動販売機の冷却装置の斜視図である。
【００４３】
図３、図４に示すように、庫内ダクト１０は、上下方向に長く上部に吸気口１０ａ、下部前面に排気口１０ｂを有し商品収納室２の奥壁に設けられる。冷却器７は、排気口１０ｂの前方に排気口１０ｂと対向して商品収納室２の底壁に配置され、多数平行に並べられたフィン７ａと、フィン７ａに直角に挿通された引っ掛け棒７ｄと、フィン７ａに直角に挿通された複数の略ヘアピン形状の冷媒管７ｂと、蛇行状の冷媒通路が形成されるように片端が開口している複数の冷媒管に連結されるＵ字状の連結管７ｃとからなる。前後位置決め部１０ｃは、排気口１０ｂの左右周縁に設けられ冷却器７の引っ掛け棒７ｄを係止し上方に開口している切込み部１０ｄを有している。ファンダクト８は、冷却器７で冷却された冷気を送風するための送風ファン９を設けた前面板８ａと、冷却器７の上方を覆うと共に冷却器７の上面と庫内ダクト１０に当接する天板８ｂと、後端が冷却器７のフィン７ａの前面に当接する一対の側面板８ｃと、商品収納室２の底壁に当接する底板８ｄとを有している。またファンダクト８は天板８ｂの後部に、庫内ダクト１０の排気口６ｂの上周縁と当接する突起部８ｅを有しており、排気口１０ｂの上周縁に設けられた角穴１０ｅに挿入できる位置にある。商品収納室２の底壁にビス止めするための取付け孔８ｆはファンダクト８の底板８ｄに設けられている。
【００４４】
以上のように構成された自動販売機の冷却装置について、以下その動作を説明する。
【００４５】
まず、商品収納室２には、矢印のように商品収納室２内部を循環する空気の流れがあり、冷却器７で冷却された空気をファン９にて送風されて商品収納棚５の内部に収納されている商品を冷却する。
【００４６】
以上のように本実施の形態の自動販売機の冷却装置は、冷却器７の引っ掛け棒７ｄを庫内ダクト１０の排気口１０ｂの左右周縁に設けられた切込み部１０ｄに係止させることで冷却器７のフィン７ａが庫内ダクト１０の排気口１０ｂの左右周縁に当接し冷却器７がファンダクト８に固定され、ファンダクト８は、後端が冷却器７のフィン７ａの前面に当接する一対の側面板８ｃにより前後方向の規制ができると共に、天板８ｂの突起部８ｅが排気口１０ｂの上周縁に設けられた角穴１０ｅに挿入することで冷却器７の上方に当接し覆
うと共に左右方向の規制ができる。
【００４７】
また、ファンダクトは、底板８ｄの取付け孔をビス止めすることにより商品収納室２の底壁の任意の位置に固定される。これにより１箇所のビス止めで確実に庫内ダクト１０に冷却器７やファンダクト８を固定することができると共に天板８ｂは角穴１０ｅにより冷却器７のフィン７ａ上方への規制ができフィン７ａの変形を防止することができるという作用を有する。
【００４８】
（実施の形態３）
図５は、本発明の実施の形態３による自動販売機の冷却装置の分解斜視図である。図６は、同実施の形態の自動販売機の冷却装置の斜視図である。
【００４９】
図５、図６に示すように、庫内ダクト１１は、上下方向に長く上部に吸気口１１ａ、下部前面に排気口１１ｂを有し商品収納室２の奥壁に設けられている。
【００５０】
後方規制部１１ｆは、排気口１１ｂの上周縁に設けられている。冷却器７は、排気口１１ｂの前方に排気口１１ｂと対向して商品収納室２の底壁に配置されている。前後位置決め部１１ｃは、排気口１１ｂの左右周縁に設けられ冷却器７の引っ掛け棒７ｄを係止し上方に開口している切込み部１１ｄを有している。
【００５１】
ファンダクト１２は、冷却器７で冷却された冷気を送風するための送風ファン９を設けた前面板１２ａと、冷却器７の上方を覆うと共に冷却器７の上面と庫内ダクト１１に当接する天板１２ｂと、後端が冷却器７のフィン７ａの前面に当接する一対の側面板１２ｃと、商品収納室２の底壁に当接する底板８ｄとを有している。またファンダクト１２は天板１２ｂの後部に、庫内ダクト１１の排気口１１ｂの上周縁と当接する突起部１２ｅと後方当接部１２ｇを有しており、突起部１２ｅは、排気口１１ｂの上周縁に設けられた切欠き部１１ｅに挿入できる位置にある。商品収納室２の底壁にビス止めするための取付け孔１２ｆはファンダクト１２の底板１２ｄに設けられている。
【００５２】
本実施の形態は、実施の形態１による自動販売機の冷却装置に、さらに後方規制部１１ｆと後方当接部１２ｇとを設けたものである。
【００５３】
以上のように構成された自動販売機の冷却装置について、以下その動作を説明する。
【００５４】
まず、商品収納室２には、矢印のように商品収納室２内部を循環する空気の流れがあり、冷却器７で冷却された空気をファン９にて送風されて商品収納棚５の内部に収納されている商品を冷却する。
【００５５】
以上のように本実施の形態の自動販売機の冷却装置は、庫内ダクト１１の後方規制部１１ｆにより排気口１１ｂの上周縁の後方への変形規制ができると共に天板１２ｂの後方当接部１２ｇにより庫内ダクト１１との密着性が向上し、組立てバラツキによって隙間の発生する確立を低下させ冷却器７を通過する冷気の経路が確保でき冷却性能への悪影響を防止することができるという作用を有する。
【００５６】
（実施の形態４）
図７は、本発明の実施の形態４による自動販売機の冷却装置の分解斜視図である。図８は、同実施の形態の自動販売機の冷却装置の斜視図である。
【００５７】
図７、図８に示すように、ファンダクト１３は、冷却器７で冷却された冷気を送風するための送風ファン９を設けた前面板１３ａと、冷却器７の上方を覆うと共に冷却器７の上
面と庫内ダクト６に当接する天板１３ｂと、後端が冷却器７のフィン７ａの前面に当接する一対の側面板１３ｃと、商品収納室２の底壁に当接する底板１３ｄとを有している。またファンダクト１３は天板１３ｂの後部に、庫内ダクト６の排気口６ｂの上周縁と当接する突起部１３ｅを有しており、排気口６ｂの上周縁に設けられた切欠き部６ｅに挿入できる位置にある。商品収納室２の底壁にビス止めするための取付け孔１３ｆはファンダクト１３の底板１３ｄに設けられている。左右規制部１３ｇは、フィン７ａの両側面を挟み込む一対のものであり一対の側面板１３ｃに設けられている。
【００５８】
本実施の形態は、実施の形態１による自動販売機の冷却装置に、さらに一対の左右規制部１３ｇを設けたものである。
【００５９】
以上のように本実施の形態の自動販売機の冷却装置は、冷却器７のフィン７ａの両側面を挟み込む一対の左右規制部１３ｇをファンダクト１３の側面板１３ｃに設けたものであり、一対の左右規制部１３ｇにより冷却器７とファンダクト１３の左右周縁の隙間がフィン７ａの変形やファンダクト１３の加工上の変形に対して余裕度を持つことができ密着性が向上し冷却器７を通過する冷気の経路が確保でき冷却性能への悪影響を防止することができ、また冷却器７とファンダクト１３の左右方向での組立て性が向上することができるという作用を有する。
【００６０】
（実施の形態５）
図９は、本発明の実施の形態５による自動販売機の冷却装置の分解斜視図である。図１０は、同実施の形態の自動販売機の冷却装置の斜視図である。
【００６１】
図９、図１０に示すように、庫内ダクト１４は、上下方向に長く上部に吸気口１４ａ、下部前面に排気口１４ｂを有し商品収納室２の奥壁に設けられる。冷却器７は、排気口１４ｂの前方に排気口１４ｂと対向して商品収納室２の底壁に配置されている。前後位置決め部１４ｃは、排気口１４ｂの左右周縁に設けられ冷却器７の引っ掛け棒７ｄを係止し上方に開口している切込み部１４ｄを有している。一対の左右規制部１４ｆは、冷却器７のフィン７ａの両側面を挟み込む一対のもので排気口１４ｂの切込み部１４ｃの下方に設けられている。ファンダクト８は、冷却器７で冷却された冷気を送風するための送風ファン９を設けた前面板８ａと、冷却器７の上方を覆うと共に冷却器７の上面と庫内ダクト１４に当接する天板８ｂと、後端が冷却器７のフィン７ａの前面に当接する一対の側面板８ｃと、商品収納室２の底壁に当接する底板８ｄとを有している。またファンダクト８は天板８ｂの後部に、庫内ダクト１４の排気口１４ｂの上周縁と当接する突起部８ｅを有しており、排気口１４ｂの上周縁に設けられた切欠き部１４ｅに挿入できる位置にある。商品収納室２の底壁にビス止めするための取付け孔８ｆはファンダクト８の底板８ｄに設けられている。
【００６２】
本実施の形態は、実施の形態１による自動販売機の冷却装置に、さらに一対の左右規制部１４ｆを設けられている。
【００６３】
以上のように本実施の形態の自動販売機の冷却装置は、冷却器７のフィン７ａの両側面を挟み込む一対の左右規制部１４ｆを庫内ダクト１４の前後位置決め部１４ｃの下方に設けたものであり、一対の左右規制部１４ｆにより冷却器７と庫内ダクト１４の左右周縁の隙間がフィン７ａの変形や庫内ダクト１４の加工上の変形に対して余裕度を持つことができ密着性が向上し冷却器７を通過する冷気の経路が確保でき冷却性能への悪影響を防止することができるという作用を有する。
【００６４】
また冷却器７の庫内ダクト１４への取付け時、冷却器７の左右の位置決めが容易になり組立て時の作業効率が向上することができるという作用を有する。
【００６５】
（実施の形態６）
図１１は、本発明の実施の形態６による自動販売機の冷却装置の分解斜視図である。図１２は、同実施の形態の自動販売機の冷却装置の斜視図である。
【００６６】
図１１、図１２に示すように、庫内ダクト６は、上下方向に長く上部に吸気口６ａ、下部前面に排気口６ｂを有し商品収納室２の奥壁に設けられる。冷却器１５は、排気口６ｂの前方に排気口６ｂと対向して商品収納室２の底壁に配置され、多数平行に並べられたフィン１５ａと、フィン１５ａの前後に直角に挿通された引っ掛け棒１５ｄ、１５eと、フィン１５ａに直角に挿通された複数の略ヘアピン形状の冷媒管１５ｂと、蛇行状の冷媒通路が形成されるように片端が開口している複数の冷媒管に連結されるＵ字状の連結管１５ｃとからなる。前後位置決め部６ｃは、排気口６ｂの左右周縁に設けられ冷却器１５の引っ掛け棒１５ｄを係止し上方に開口している切込み部６ｄを有している。ファンダクト１６は、冷却器１５で冷却された冷気を送風するための送風ファン９を設けた前面板１６ａと、冷却器１５の上方を覆うと共に冷却器１５の上面と庫内ダクト６に当接する天板１６ｂと、後端が冷却器１５のフィン１５ａの前面に当接する一対の側面板１６ｃと、側面板１６cに設けられ冷却器１５の引っ掛け棒１５eを係止し下方に開口している切込み部１６hを設けた前後位置決め部１６gと、商品収納室２の底壁に当接する底板１５ｄとを有している。またファンダクト１６は天板１６ｂの後部に、庫内ダクト６の排気口６ｂの上周縁と当接する突起部１６ｅを有しており、排気口６ｂの上周縁に設けられた切欠き部６ｅに挿入できる位置にある。商品収納室２の底壁にビス止めするための取付け孔１６ｆはファンダクト１６の底板１６ｄに設けられている。
【００６７】
以上のように本実施の形態の自動販売機の冷却装置は、冷却器１５の引っ掛け棒１５dを庫内ダクト６の排気口６bの左右周縁に設けられた切込み部６dに係止させることで冷却器１５のフィン１５aが庫内ダクト６の排気口６bの左右周縁に当接し固定され、ファンダクト１６は、切込み部１６hを設けた前後位置決め部１６gを冷却器１５の引っ掛け棒１５eに引っ掛けて係止すると共に後端が冷却器１５のフィン１５aの前面に当接する一対の側面板１６cにより前後方向の規制ができ、冷却器１５は、複数の引っ掛け棒１５d、１５eにより庫内ダクト６とファンダクト１６に固定ができ自動販売機の輸送時に発生する振動による組み込み位置のズレによる不具合を防止することができる。
【００６８】
また天板１６bの突起部１６eが排気口６bの上周縁に設けられた切欠き部６eに挿入することで冷却器１５の上方に当接し覆うことができる。
【００６９】
また、ファンダクト１６は、底板１６dの取付け孔１６fをビス止めすることにより固定される。これにより１箇所のビス止めで確実に庫内ダクト６に冷却器１５やファンダクト１６を固定することができるという作用を有する。
【産業上の利用可能性】
【００７０】
以上のように本発明の自動販売機の冷却装置は、冷却器の取り付け信頼性を高めることができ、自動販売機のみならず冷却装置を適用した製品分野に適用が可能である。
【図面の簡単な説明】
【００７１】
【図１】本発明による自動販売機の冷却装置の実施の形態１の冷却装置の分解斜視図
【図２】同実施の形態の自動販売機の冷却装置の斜視図
【図３】本発明による自動販売機の冷却装置の実施の形態２の冷却装置の分解斜視図
【図４】同実施の形態の自動販売機の冷却装置の斜視図
【図５】本発明による自動販売機の冷却装置の実施の形態３の冷却装置の分解斜視図
【図６】同実施の形態の自動販売機の冷却装置の斜視図
【図７】本発明による自動販売機の冷却装置の実施の形態４の冷却装置の分解斜視図
【図８】同実施の形態の自動販売機の冷却装置の斜視図
【図９】本発明による自動販売機の冷却装置の実施の形態５の冷却装置の分解斜視図
【図１０】同実施の形態の自動販売機の冷却装置の斜視図
【図１１】本発明による自動販売機の冷却装置の実施の形態６の冷却装置の分解斜視図
【図１２】同実施の形態の自動販売機の冷却装置の斜視図
【図１３】従来の自動販売機の断面図
【図１４】従来の自動販売機の冷却装置の斜視図
【符号の説明】
【００７２】
６    庫内ダクト
６ａ    吸気口
６ｂ    排気口
６ｃ    前後位置決め部
６ｄ    切込み部
６ｅ    切欠き部
７    冷却器
７ａ    フィン
７ｂ    冷媒管
７ｃ    連結管
７ｄ    引っ掛け棒
８    ファンダクト
８ａ    前面板
８ｂ    天板
８ｃ    側面板
８ｄ    底板
８ｅ    突起部
８ｆ    取付け孔
９    ファン
１０    庫内ダクト
１０ａ    吸気口
１０ｂ    排気口
１０ｃ    前後位置決め部
１０ｄ    切込み部
１０ｅ    角穴
１１    庫内ダクト
１１ａ    吸気口
１１ｂ    排気口
１１ｃ    前後位置決め部
１１ｄ    切込み部
１１ｅ    切欠き部
１１ｆ    後方規制部
１２    ファンダクト
１２ａ    前面板
１２ｂ    天板
１２ｃ    側面板
１２ｄ    底板
１２ｅ    突起部
１２ｆ    取付け孔
１２ｇ    後方当接部
１３    ファンダクト
１３ａ    前面板
１３ｂ    天板
１３ｃ    側面板
１３ｄ    底板
１３ｅ    突起部
１３ｆ    取付け孔
１３ｇ    左右規制部
１４    庫内ダクト
１４ａ    吸気口
１４ｂ    排気口
１４ｃ    前後位置決め部
１４ｄ    切込み部
１４ｅ    切欠き部
１４ｆ    右規制部
１５    冷却器
１５ａ    フィン
１５ｂ    冷媒管
１５ｃ    連結管
１５ｄ    引っ掛け棒
１５ｅ    引っ掛け棒
１６    ファンダクト
１６ａ    前面板
１６ｂ    天板
１６ｃ    側面板
１６ｄ    底板
１６ｅ    突起部
１６ｆ    取付け孔
１６ｇ    前後位置決め部
１６ｈ    切込み部
【図１】
2005092395.tif 000003
【図２】
2005092395.tif 000004
【図３】
2005092395.tif 000005
【図４】
2005092395.tif 000006
【図５】
2005092395.tif 000007
【図６】
2005092395.tif 000008
【図７】
2005092395.tif 000009
【図８】
2005092395.tif 000010
【図９】
2005092395.tif 000011
【図１０】
2005092395.tif 000012
【図１１】
2005092395.tif 000013
【図１２】
2005092395.tif 000014
【図１３】
2005092395.tif 000015
【図１４】
2005092395.tif 000016